(57)【要約】【課題】冷間伸線加工性および耐食性に優れた非磁性の硫黄快削ステンレス鋼線材を提供する。【解決手段】質量％で、Ｃ：０．０２〜０．０８％、Ｓｉ：０．１〜１．０％、Ｍｎ：２．０〜５．０％、Ｐ：０．０３〜０．１５％，Ｓ：０．１〜０．２５％、Ｂ：０．００１〜０．０２％、Ｎｉ：７〜１２％、Ｃｒ：１９〜２２％、Ｃｕ：０．１〜３．５％，Ｎ：０．０５〜０．２２％、Ｏ：０．００５〜０．０１５％，Ａｌ：０．００５％以下を含有し、残部Ｆｅおよび不可避的不純物よりなり、Ｍの値が−１００（％）以下である。更に、必要に応じて、質量％で、  Ｍｏ：０．１〜２．５％，Ｃａ：０．０００５〜０．０１％、Ｍｇ：０．０００５〜０．０１％、Ｚｒ：０．０００５〜０．０１％の１種以上を含有する。【選択図】  なし。【特許請求の範囲】
【請求項１】
質量％で、Ｃ：０．０２〜０．０８％、Ｓｉ：０．１〜１．０％、Ｍｎ：２．０〜５．０％、Ｐ：０．０３〜０．１５％，Ｓ：０．１〜０．２５％、Ｂ：０．００１〜０．０２％、Ｎｉ：７〜１２％、Ｃｒ：１９〜２２％、Ｃｕ：０．１〜３．５％，Ｎ：０．０５〜０．２２％、Ｏ：０．００５〜０．０１５％，Ａｌ：０．００５％以下を含有し、残部Ｆｅおよび不可避的不純物よりなり、下記Ｍの値が−１００（％）以下であることを特徴とする冷間伸線加工性と耐食性に優れる非磁性の硫黄快削ステンレス鋼線材。
Ｍ＝５５１−４６２（Ｃ＋Ｎ）−９．２Ｓｉ−８．１Ｍｎ−２９（Ｎｉ＋Ｃｕ）−１３．７Ｃｒ−１８．５Ｍｏ
【請求項２】
質量％で、  Ｍｏ：０．１〜２．５％を含有することを特徴とする請求項１に記載の冷間伸線加工性と耐食性に優れる非磁性の硫黄快削ステンレス鋼線材。
【請求項３】
質量％で、Ｃａ：０．０００５〜０．０１％、Ｍｇ：０．０００５〜０．０１％、Ｚｒ：０．０００５〜０．０１％の１種以上を含有することを特徴とする請求項１又は２の何れかに記載の冷間伸線加工性と耐食性に優れる非磁性の硫黄快削ステンレス鋼線材。
【発明の詳細な説明】
【０００１】
【発明の属する技術分野】
本発明は、快削元素として硫黄（Ｓ）を適量に含有して被削性に優れ、さらに冷間伸線加工性と耐食性にも優れた非磁性の硫黄快削ステンレス鋼に関するものであり、例えば、耐食性，強度及び非磁性が要求される小物のシャフト，ネジ等の部品や、時計，カメラ，ＯＡ機器等の精密部品等の素材として利用される冷間伸線加工性と耐食性に優れる非磁性の硫黄快削ステンレス鋼線材に関するものである。
【０００２】
【従来の技術】
ステンレス鋼は強靭であるため切削時に切子がバイトに絡み付いて切屑処理性が悪く、また、バイトの磨耗が大きく工具寿命が短いなど切削性に劣る（以下、切屑処理性と切削性（工具寿命）の両方を被削性と呼ぶ）。そのため、被削性が必要な場合は、Ｓ，Ｐｂ，Ｂｉ，Ｔｅ等が添加されており、特にＳは、安価で環境に優しく、経済性に優れるため、最も多く使用されてきた。
【０００３】
前記元素を添加した快削ステンレス鋼は、電子機器等の部品用などとして非磁性が要求される場合があり、オーステナイト系Ｓ快削ステンレス鋼の成分を調整することで、高強度と非磁性が得られることが提案されている（特許文献１，特許文献２）。また、オーステナイト系Ｓ快削ステンレス鋼の成分調整と低い伸線加工率で高強度が得られることが提案されている（特許文献３）。さらに、オーステナイト系Ｓ快削ステンレス鋼の成分を調整することで、高耐食性と非磁性が得られることが提案されている（特許文献４）。
【０００４】
一方、小物部品等を製造するためには、細線まで冷間伸線加工を施す必要があるが、一般にＳ快削鋼は冷間伸線加工性に劣るため、伸線減面率で３０％程度しか冷間伸線加工できない。そのため、細線まで冷間伸線加工を施す場合は、中間の溶体化処理と冷間伸線加工を何回も繰り返す必要があるため製造コストが高くなるという問題がある。また、Ｓ快削ステンレス鋼は、耐食性に劣るという欠点をも持つため、高温・多湿の環境下で使用される機器部品においては発銹（耐久性）の問題がある。
【０００５】
このように、従来の非磁性のＳ快削ステンレス鋼では、冷間伸線加工性と耐食性の両特性を満足することで、耐久性を含めた部品の一貫コストの低減を図る提案は見あたらない。
【０００６】
【特許文献１】
特開昭６３−１９９８５２号公報
【特許文献２】
特開平０６−３０６５４４号公報
【特許文献３】
特開２００１−２３４２９５号公報
【特許文献４】
特開２０００−１９２２０２号公報
【０００７】
【発明が解決しようとする課題】
本発明は冷間伸線加工を必要とする非磁性のＳ快削ステンレス鋼線材において、耐食性と冷間伸線加工性を向上させることで、耐食性に優れる非磁性の機械部品を安価に提供することを課題とする。
【０００８】
【課題を解決するための手段】
本発明者らは、上記課題を解決するために種々検討した結果、Ｐｂ等の毒性の強い元素を使用せずにＳを使用したオーステナイト系ステンレス鋼に強力な粒界偏析元素としてＰ，Ｂを適量添加し、且つ、耐食性向上元素であるＣｒ，Ｎの量を制御し、さらに脱酸形態を制御することで、非磁性Ｓ快削ステンレス線材の冷間伸線加工性と耐食性の両特性を向上できることを見出した。本発明は、上記知見に基づいてなされたものであり、その要旨とするところは以下の通りである。
【０００９】
（１）質量％で、Ｃ：０．０２〜０．０８％、Ｓｉ：０．１〜１．０％、Ｍｎ：２．０〜５．０％、Ｐ：０．０３〜０．１５％，Ｓ：０．１〜０．２５％、Ｂ：０．００１〜０．０２％、Ｎｉ：７〜１２％、Ｃｒ：１９〜２２％、Ｃｕ：０．１〜３．５％，Ｎ：０．０５〜０．２２％、Ｏ：０．００５〜０．０１５％，Ａｌ：０．００５％以下を含有し、残部Ｆｅおよび不可避的不純物よりなり、下記Ｍの値が−１００（％）以下であることを特徴とする冷間伸線加工性と耐食性に優れる非磁性の硫黄快削ステンレス鋼線材である。
Ｍ＝５５１−４６２（Ｃ＋Ｎ）−９．２Ｓｉ−８．１Ｍｎ−２９（Ｎｉ＋Ｃｕ）−１３．７Ｃｒ−１８．５Ｍｏ
（２）質量％で、  Ｍｏ：０．１〜２．５％を含有することを特徴とする前記（１）に記載の冷間伸線加工性と耐食性に優れる非磁性の硫黄快削ステンレス鋼線材である。
（３）質量％で、Ｃａ：０．０００５〜０．０１％、Ｍｇ：０．０００５〜０．０１％、Ｚｒ：０．０００５〜０．０１％の１種以上を含有することを特徴とする前記（１）乃至（２）の何れかに記載の冷間伸線加工性と耐食性に優れる非磁性の硫黄快削ステンレス鋼線材である。
【００１０】
【発明の実施の形態】
以下に、先ず、本発明の請求項１記載の限定理由について説明する。
【００１１】
Ｃは、鋼線に強度を適度に付与して、切屑処理性を向上させるために、０．０２％以上添加する。しかしながら、０．０８％を超えて添加すると、冷間伸線加工性が劣化する。そのため、上限を０．０８％に限定する。好ましい範囲は、０．０３〜０．０７％である。
【００１２】
Ｓｉは、弱脱酸元素であり、また、脱酸元素であるＭｎと合わせて添加して、熱間線材圧延において展伸し易いＭｎ・Ｓｉ系酸化物を形成させて、冷間伸線加工性を向上させるために、０．１％以上添加する。しかしながら、１．０％を超えると、Ｓｉの固溶強化に起因して冷間伸線加工性が劣化する。そのため、上限を１．０％に限定する。好ましい範囲は、０．２〜０．５％である。
【００１３】
Ｍｎは、弱脱酸元素であり、上記Ｓｉと合わせて酸化物を制御して、冷間伸線加工性を向上させるとともに、Ｍの値を下げて非磁性を確保するために２．０％以上添加する。しかしながら、５．０％を超えて添加すると、Ｍｎの固溶強化に起因して冷間伸線加工性及び切削性（工具寿命）が劣化する。そのため、上限を５．０％に限定する。好ましい範囲は、２．５〜４％である。
【００１４】
Ｐは、強力な粒界偏析元素であり、鋼を脆化させる元素であるために通常は約０．０３％未満に抑えられているが、Ｓ快削ステンレス鋼においては、同じ偏析元素であるＳ，Ｂとともに添加することで、被削性と冷間伸線加工性の両特性を飛躍的に向上させることができる。そのため、０．０３％以上積極的に添加する。しかしながら、０．１５％を超えて添加すると逆に冷間伸線加工性が劣化する。そのため、上限を０．１５％に限定する。好ましい範囲は、０．０５〜０．１％の範囲である。
【００１５】
Ｓは、Ｐ同様に強力な粒界偏析元素であり、また、硫化物を形成して被削性を向上させるために０．１％以上添加する。しかしながら、０．２５％を超えて添加すると冷間伸線加工性および耐食性が劣化する。そのため、上限を０．２５％に限定する。好ましい範囲は、０．１５〜０．２％である。
【００１６】
Ｂは、強力な粒界偏析元素であり、ＰとともにＳの粒界偏析を軽減して冷間伸線加工性を向上させるため、０．００１％以上積極的に添加する。しかしながら、０．０２％を超えて添加するとボライドが生成し、逆に冷間伸線加工性や耐食性が劣化する。そのため、上限を０．０２％に限定する。好ましい範囲は、０．００３〜０．０１％である。
【００１７】
Ｎｉは、鋼の靱性を向上させて冷間伸線加工性を向上させるとともにＭの値を下げてオーステナイト組織を安定化させ、非磁性を確保するため７％以上添加する。しかしながら、１２％を超えて添加してもその効果は飽和するし、逆に切削時に溶着し易くなり切屑処理性が劣化する。そのため、上限を１２％に限定した。好ましい範囲は、８〜１０％である。
【００１８】
Ｃｒは、耐食性を向上させるために１９％以上添加する。しかしながら、２２％を超えて添加すると冷間伸線加工性が劣化する。そのため、上限を２２％に限定する。好ましい範囲は、１９．５〜２１％である。
【００１９】
Ｃｕは、加工硬化を抑え、冷間伸線加工性を向上させるために０．１％以上添加する。しかしながら、３．５％を超えて添加すると凝固時にＣｕがマトリックスに固溶しないため溶融脆化を引き起こすなどの製造性が著しく劣化する。そのため、上限を３．５％に限定する。好ましい範囲は、０．３〜２．０％である。
【００２０】
Ｎは、耐食性を向上させ、且つ、冷間伸線加工後の非磁性を保つとともに粒界ボライドの生成を抑制するために０．０５％以上添加する。しかしながら、０．２２％を超えて添加すると冷間伸線加工性および切削性（工具寿命）が著しく劣化する。そのため、上限を０．２２％に限定する。好ましい範囲は、０．１〜０．２％である。
【００２１】
Ｏは、Ｓｉ，Ｍｎ，Ａｌ量を規制して弱脱酸にて脱酸生成物をＳｉ・Ｍｎ系酸化物に制御し、粗大酸化物を抑制して冷間伸線加工性を向上させるために、０．００５％以上とする。しかしながら、０．０１５％を超えると逆に粗大酸化物が生成し、冷間伸線加工性が著しく劣化する。そのため、上限を０．０１５％に限定する。好ましい範囲は、０．００６〜０．０１％である。
【００２２】
Ａｌは、強脱酸元素であり、粗大酸化物が生成して冷間伸線加工性が劣化するため、０．００５％以下に限定する。好ましくは、０．００３％以下である。
【００２３】
Ｍの値は、冷間伸線加工後も非磁性を確保するために、−１００（％）以下に限定する。好ましくは、−１１０（％）以下である。
【００２４】
次に請求項２に記載の限定理由について説明する。
【００２５】
Ｍｏは、耐食性を更に向上させるため、必要に応じて０．１％以上添加する。しかしながら、２．５％を超えて添加すると、冷間伸線加工性および切削性（工具寿命）が劣化する。そのため、上限を２．５％に限定する。好ましい範囲は、０．５〜２．０％である。
【００２６】
次に請求項３に記載の限定理由について説明する。
【００２７】
Ｃａ，Ｍｇ，Ｚｒは、脱酸生成物である酸化物を微細分散させて冷間伸線加工性を向上させるため、必要に応じて、各々、０．０００５％以上添加する。しかしながら、０．０１％を超えて添加すると、粗大酸化物が生成し、冷間伸線加工性や耐食性が劣化する。そのため、上限を０．０１％に限定する。好ましい範囲は、各々、０．００１〜０．００６％である。
【００２８】
【実施例】
表１、２に供試材の化学成分を示す。
【００２９】
【表１】
2004307977.tif 000002
【００３０】
【表２】
2004307977.tif 000003
【００３１】
本発明例Ａ〜Ｃおよび比較例Ｖ〜Ｙは、０．３％Ｓｉ−３％Ｍｎ−０．０５％Ｐ−０．１８％Ｓ−０．００５％Ｂ−９．３％Ｎｉ−２０％Ｃｒ−０．６％Ｃｕ−０．００３％Ａｌ−０．００７％Ｏを基本成分とし、強化元素として主に冷間伸線加工性および切削性に影響を及ぼすＣ量（％）とＮ量（％）を変化させたものである。
【００３２】
本発明例Ａ，Ｄ，Ｅと比較例Ｚ，ＡＡ〜ＡＤは、０．０５％Ｃ−０．０５％Ｐ−０．１８％Ｓ−０．００５％Ｂ−９．３％Ｎｉ−２０％Ｃｒ−０．６％Ｃｕ−０．１８％Ｎを基本成分とし、脱酸生成物を生成させて主に冷間伸線加工性に影響を及ぼすＳｉ量（％），Ｍｎ量（％），Ａｌ量（％），Ｏ量（％）を変化させたものである。
【００３３】
本発明例Ａ，Ｆ〜Ｈと比較例ＡＥ〜ＡＪは、０．０５％Ｃ−０．３％Ｓｉ−３％Ｍｎ−９．３％Ｎｉ−２０％Ｃｒ−０．６％Ｃｕ−０．１８％Ｎ−０．００３％Ａｌ−０．００７％Ｏを基本成分とし、粒界偏析元素であり、主に冷間伸線加工性と切削性に影響を及ぼすＰ量（％），Ｓ量（％），Ｂ量（％）を変化させたものである。
【００３４】
本発明例Ａ，Ｉ，Ｊと比較例ＡＫ，ＡＬは、０．０５％Ｃ−０．３％Ｓｉ−３％Ｍｎ−０．０５％Ｐ−０．１８％Ｓ−０．００５％Ｂ−２０％Ｃｒ−０．６％Ｃｕ−０．１８％Ｎ−０．００３％Ａｌ−０．００７％Ｏを基本成分とし、主に磁性と切削性に影響を及ぼすＮｉ量（％）を変化させたものである。
【００３５】
本発明例Ａ，Ｋ，Ｌと比較例ＡＭ，ＡＮは、０．０５％Ｃ−０．３％Ｓｉ−３％Ｍｎ−０．０５％Ｐ−０．１８％Ｓ−０．００５％Ｂ−９．３％Ｎｉ−０．６％Ｃｕ−０．１８％Ｎ−０．００３％Ａｌ−０．００７％Ｏを基本成分とし、主に耐食性と冷間伸線加工性に影響を及ぼすＣｒ量（％）を変化させたものである。
【００３６】
本発明例Ａ，Ｍ〜Ｏと比較例ＡＯ，ＡＰは、０．０５％Ｃ−０．３％Ｓｉ−３％Ｍｎ−０．０５％Ｐ−０．１８％Ｓ−０．００５％Ｂ−９．３％Ｎｉ−２０％Ｃｒ−０．１８％Ｎ−０．００３％Ａｌ−０．００７％Ｏを基本成分とし、主に冷間伸線加工性に及ぼすＣｕ量（％）を変化させたものである。
【００３７】
本発明例Ａ，Ｐ〜Ｒと比較例ＡＱは、０．０５％Ｃ−０．３％Ｓｉ−３％Ｍｎ−０．０５％Ｐ−０．１８％Ｓ−０．００５％Ｂ−９．３％Ｎｉ−２０％Ｃｒ−０．６％Ｃｕ−０．１８％Ｎ−０．００３％Ａｌ−０．００７％Ｏを基本成分とて、主に耐食性と冷間伸線加工性に影響を及ぼすＭｏ量（％）を変化させたものである。
【００３８】
本発明例Ａ，Ｓ〜Ｕと比較例ＡＲ〜ＡＴは、０．０５％Ｃ−０．３％Ｓｉ−３％Ｍｎ−０．０５％Ｐ−０．１８％Ｓ−０．００５％Ｂ−９．３％Ｎｉ−２０％Ｃｒ−０．６％Ｃｕ−０．１８％Ｎ−０．００３％Ａｌ−０．００７％Ｏを基本成分とし、脱酸生成物の微細分散に寄与して、主に冷間伸線加工性に影響を及ぼすＣａ量（％），Ｍｇ量（％），Ｚｒ量（％）を変化させたものである。
【００３９】
これら化学組成の鋼は、１００ｋｇの真空溶解炉にて溶解し、φ１８０ｍｍの鋳片に鋳造し、その鋳片をφ５．５ｍｍまで熱間の線材圧延を行い、１０００℃で該圧延を終了し、１０５０℃で３０分の溶体化処理を施した。その後、これらの線材について、冷間伸線加工性，耐食性，切削性，磁性を評価した。
【００４０】
冷間伸線加工性については、伸線減面率で７０％まで冷間伸線加工を施し、断線無しに冷間伸線加工性が可能かどうかで評価した。伸線加工の途中で断線した場合は、冷間伸線加工性を×とし、断線無しに冷間伸線加工できた場合は、○とした。
【００４１】
耐食性は、伸線減面率で５０％まで冷間伸線加工を施し、その後、表面を＃５００研磨し、ＪＩＳ  Ｇ  ０５７７に従い、孔食電位（アノード分極曲線において電流密度１００μＡ／ｃｍ２に対応する電位，標準電極；Ａｇ／ＡｇＣｌ−３．３３ｋｍｏｌ  ｍ−３ＫＣｌ）を測定した。なお、１試料について３回測定し、その平均値で評価した。本発明例の孔食電位は、１８０ｍＶ以上である。
【００４２】
切削性は、伸線減面率で５０％まで冷間伸線加工を施した後、磨棒に仕上げ、表３に示す条件で切削試験を行った。なお、切削性の評価は切削性（工具寿命）と切り屑処理性で行った。切削性（工具寿命）はフランク摩耗量で評価し、３０分後のフランク摩耗量が５０μｍ以下であれば切削性（工具寿命）は○，５０μｍ超の場合は×と評価した。また、切り屑処理性については、切り屑形状が規則的にカール状に分断されていれば○，不規則な形の連続した切り屑の場合は×と評価した。本発明例の切削性（工具寿命）と切り屑処理性はともに○であった。
【００４３】
【表３】
2004307977.tif 000004
【００４４】
磁性は、伸線減面率で７０％まで冷間伸線加工を施した後、フェライトメータにて比透磁率を測定した。磁性の評価は、比透磁率が１．１以下であれば非磁性とし、１．１超であれば磁性があると評価した。本発明例の磁性は、全て非磁性であった。
【００４５】
【表４】
2004307977.tif 000005
【００４６】
【表５】
2004307977.tif 000006
【００４７】
これらの試験結果をまとめて表４，５に示す。表１、２及び表４，５に示すように、本発明例は、オーステナイト系ステンレス鋼にＰ，Ｓ，Ｂを適量添加しているため冷間伸線加工性と被削性の両特性に優れ、ＣｒとＮを適量添加しているため耐食性に優れ、Ｍ値を最適に制御しているため非磁性に優れている。また、本発明例の鋼記号Ｐ、Ｑ、Ｒは更にＭｏを添加しているため、Ｎｏ．１６〜１８では特に耐食性に優れている。
【００４８】
一方、比較例の鋼記号ＶはＣ量（％）が低いため、Ｎｏ．２２では切り屑処理性に劣っている。逆に、比較例の鋼記号ＷはＣ量（％）が高いため、Ｎｏ．２３では冷間伸線加工性，耐食性および切削性（工具寿命）に劣っている。
【００４９】
比較例の鋼記号ＸはＮ量（％）が低いため、Ｎｏ．２４では耐食性に劣っており、更にＭ値も高いため非磁性にも劣っている。逆に鋼記号ＹはＮ量（％）が高いため、Ｎｏ．２５では冷間伸線加工性と切削性（工具寿命）に劣っている。
【００５０】
比較例の鋼記号ＺはＳｉ量（％）が低く、Ｏ量（％）が高いため、また、鋼記号ＡＢはＭｎ量が低いため、脱酸不良傾向にあり、冷間伸線加工性に劣っている。逆に鋼記号ＡＡはＳｉ量（％）が高く、鋼記号ＡＣはＭｎ量（％）が高いため固溶強化が大きく、冷間伸線加工性および切削性（工具寿命）に劣っている。比較例の鋼記号ＡＤはＡｌ量（％）が高く、Ｏ（％）が高いため、Ｎｏ．３０では強脱酸で粗大介在物が生成し易くなって冷間伸線加工性に劣っている。
【００５１】
比較例の鋼記号ＡＥおよびＡＧは、それぞれＰ量（％）およびＳ量（％）が低いため、Ｎｏ．３１およびＮｏ．３３では、それぞれ切削性（工具寿命）および切り屑処理性に劣っている。逆に、鋼記号ＡＦおよびＡＨは、それぞれＰ量（％）およびＳ量（％）が高いため、Ｎｏ．３２およびＮｏ．３４で、冷間伸線加工性および耐食性に劣っている。
【００５２】
比較例の鋼記号ＡＩはＢ量（％）が低いため、Ｎｏ．３５では冷間伸線加工性に劣っている。逆に、鋼記号ＡＪはＢ量（％）が高すぎるため、Ｎｏ．３６では冷間伸線加工性および耐食性に劣っている。
【００５３】
比較例の鋼記号ＡＫはＮｉ量（％）が低いためＭ値が高く、Ｎｏ．３７では冷間伸線加工性および切削性（工具寿命）に劣るばかりか、非磁性にも劣っている。逆に鋼記号ＡＬはＮｉ量（％）が高すぎるため、Ｎｏ．３８では切削性（工具寿命）および切り屑処理性に劣っている。
【００５４】
比較例の鋼記号ＡＭはＣｒ量（％）が低いため、Ｎｏ．３９では耐食性に劣っている。逆に鋼記号ＡＮはＣｒ量（％）が高すぎるため、Ｎｏ．４０では冷間伸線加工性に劣っている。
【００５５】
比較例の鋼記号ＡＯはＣｕ量（％）が低いため、Ｎｏ．４１では冷間伸線加工性に劣っている。逆に、鋼記号ＡＰはＣｕ量（％）が高すぎるため、Ｎｏ．４２では製造性が悪く、評価不可であった。
【００５６】
比較例の鋼記号ＡＱはＭｏ量（％）が高すぎるため、Ｎｏ．４３では冷間伸線加工性および切削性（工具寿命）に劣っている。鋼記号ＡＲ〜ＡＴはそれぞれ、Ｃａ量（％），Ｍｇ量（％），Ｚｒ量（％）が高すぎるため、Ｎｏ．４４〜４６では、冷間伸線加工性および耐食性に劣っている。
【００５７】
以上、本発明例の冷間加工性，切削性，耐食性，非磁性の全ての特性について、優位性は明らかである。
【００５８】
【発明の効果】
本発明は、オーステナイト系ステンレス鋼に、Ｓ，Ｐ，Ｂの強力な粒界偏析元素を適量に添加し、Ｃｒ，Ｎ量を制御し、オーステナイト組織の安定度を成分で調整することによって、冷間伸線加工性，耐食性，非磁性に優れたオーステナイト系快削ステンレス鋼線材を得ることができる。